(57)【要約】【課題】装置本体に後付装置を容易に着脱することができる画像形成装置を提供する。【解決手段】画像形成部が取り付けられる筐体と、画像読取装置を前記筐体と離間した状態で支持する支持体と、筐体の後付装置が装着される装着面に、後付装置の被装着面上に突出して形成された係合部が係合されて位置決めされる係合穴と、後付装置の被装着面上に突出形成されたガイド部が挿入されて案内される案内部と、を備え、支持体は３本の支柱と、３本の支柱のそれぞれを連結する連結部材を有し、３本の支柱間に形成されるそれぞれの面のうち最も広い面が開口し、後付装置が開口から挿入されて装着される。【選択図】図４
2017027031.tif 000002
【特許請求の範囲】
【請求項１】
画像形成部が取り付けられる筐体と、
画像読取装置を前記筐体と離間した状態で支持する支持体と、
前記筐体の後付装置が装着される装着面に、前記後付装置の被装着面上に突出して設けられた係合部が係合されて位置決めされる係合穴と、
前記後付装置の被装着面上に突出形成されたガイド部が挿入されて案内される案内部と、を備えた、
ことを特徴とする画像形成装置。
【請求項２】
前記筐体の記録媒体搬送方向に交差する方向に前記後付け装置を案内するように前記案内部が設けられ、前記支持体は３本の支柱と、前記３本の支柱のそれぞれを連結する連結部材を有し、前記３本の支柱間に形成されるそれぞれの面のうち最も広い面が開口し、前記後付装置が前記開口から挿入されて装着される、
ことを特徴とする請求項１に記載の画像形成装置。
【請求項３】
前記係合部は、前記後付装置の被装着面上に突出して設けられた軸部と、前記軸部の先端に形成された前記軸部よりも大径の頭部とを有する複数の位置決めピンからなり、前記係合穴は、前記頭部の直径よりも内径が大きい案内穴と、前記案内穴に連続するとともに前記頭部の直径よりも幅が小さく、前記軸部の直径よりも幅が大きい長穴状の係合穴とで構成される複数のだるま穴からなる、
ことを特徴とする請求項１又は２に記載の画像形成装置。
【請求項４】
前記だるま穴は、挿入された前記後付装置の移動を規制する第１のだるま穴と、前記後付装置の案内方向への移動を規制する第２のだるま穴と、前記後付装置の案内方向と交差する方向への移動を規制する第３のだるま穴と、を含む、
ことを特徴とする請求項３に記載の画像形成装置。
【請求項５】
前記係合部は、ケースと、前記ケースに進退可能に保持されるフックと、前記フックを前記ケース外に突出する方向に付勢する付勢部材と、前記フックと進退し前記フックが前記係合孔に係合した際に前記筐体の装着面に接触する板バネと、からなる、
ことを特徴とする請求項１又は２に記載の画像形成装置。
【請求項６】
前記係合部は、前記後付装置の装着方向における前方と後方に設けられ、前記前方に設けられた第１の係合部と、前記後方に設けられた第２の係合部とは互いに形状が異なり、前記係合孔は、前記後付装置の装着方向における前方と後方に形成され、前記第１の係合部と互いに相補形状をなす第１の係合孔と、前記第２の係合部と互いに相補形状をなす第２の係合孔からなる、
ことを特徴とする請求項５に記載の画像形成装置。
【請求項７】
前記係合孔は、前記前方に形成された前記係合孔と、前記後方に形成された前記係合孔とは前記装着方向と交差する方向における位置が異なる、
ことを特徴とする請求項５又は６に記載の画像形成装置。
【請求項８】
前記後付装置が、用紙後処理装置である、
ことを特徴とする請求項１ないし７のいずれか１項に記載の画像形成装置。
【発明の詳細な説明】
【技術分野】
【０００１】
本発明は、画像形成装置に関する。
【背景技術】
【０００２】
筐体の少なくとも一側面を開口し、開口の内側の空間である胴内に用紙を排紙する排紙部と、排紙部から排紙された用紙に対して後処理をおこなう用紙後処理装置を該胴内に配置した画像形成装置において、用紙後処理装置を胴内から筐体の開口に向けてスライドさせるスライド手段を有する画像形成装置が知られている（特許文献１）。
【先行技術文献】
【特許文献】
【０００３】
【特許文献１】特開２０１４−１０６２９４号公報
【発明の概要】
【発明が解決しようとする課題】
【０００４】
本発明は、装置本体に後付装置を容易に着脱することができる画像形成装置を提供することを目的とする。
【課題を解決するための手段】
【０００５】
前記課題を解決するために、請求項１に記載の画像形成装置は、
画像形成部が取り付けられる筐体と、
画像読取装置を前記筐体と離間した状態で支持する支持体と、
前記筐体の後付装置が装着される装着面に、前記後付装置の被装着面上に突出して設けられた係合部が係合されて位置決めされる係合孔と、
前記後付装置の被装着面上に突出形成されたガイド部が挿入されて案内される案内部と、を備えた、
ことを特徴とする。
【０００６】
請求項２記載の発明は、請求項１に記載の画像形成装置において、
前記筐体の記録媒体搬送方向に交差する方向に前記後付け装置を案内するように前記案内部が設けられ、前記支持体は３本の支柱と、前記３本の支柱のそれぞれを連結する連結部材を有し、前記３本の支柱間に形成されるそれぞれの面のうち最も広い面が開口し、前記後付装置が前記開口から挿入されて装着される、
ことを特徴とする。
【０００７】
請求項３記載の発明は、請求項１又は２に記載の画像形成装置において、
前記係合部は、前記後付装置の被装着面上に突出して設けられた軸部と、前記軸部の先端に形成された前記軸部よりも大径の頭部とを有する複数の位置決めピンからなり、前記係合孔は、前記頭部の直径よりも内径が大きい案内孔と、前記案内孔に連続するとともに前記頭部の直径よりも幅が小さく、前記軸部の直径よりも幅が大きい長孔状の係合孔とで構成される複数のだるま孔からなる、
ことを特徴とする。
【０００８】
請求項４記載の発明は、請求項３に記載の画像形成装置において、
前記だるま孔は、挿入された前記後付装置の移動を規制する第１のだるま孔と、前記後付装置の案内方向への移動を規制する第２のだるま孔と、前記後付装置の案内方向と交差する方向への移動を規制する第３のだるま孔と、を含む、
ことを特徴とする。
【０００９】
請求項５記載の発明は、請求項１又は２に記載の画像形成装置において、
前記係合部は、ケースと、前記ケースに進退可能に保持されるフックと、前記フックを前記ケース外に突出する方向に付勢する付勢部材と、前記フックと進退し前記フックが前記係合孔に係合した際に前記筐体の装着面に接触する板バネと、からなる、
ことを特徴とする。
【００１０】
請求項６記載の発明は、請求項５に記載の画像形成装置構において、
前記係合部は、前記後付装置の装着方向における前方と後方に設けられ、前記前方に設けられた第１の係合部と、前記後方に設けられた第２の係合部とは互いに形状が異なり、前記係合孔は、前記後付装置の装着方向における前方と後方に形成され、前記第１の係合部と互いに相補形状をなす第１の係合孔と、前記第２の係合部と互いに相補形状をなす第２の係合孔からなる、
ことを特徴とする。
【００１１】
請求項７記載の発明は、請求項５又は６に記載の画像形成装置構において、
前記係合孔は、前記前方に形成された前記係合孔と、前記後方に形成された前記係合孔とは前記装着方向と交差する方向における位置が異なる、
ことを特徴とする。
【００１２】
請求項８記載の発明は、請求項１ないし７のいずれか１項に記載の画像形成装置において、
前記後付装置が、用紙後処理装置である、
ことを特徴とする。
【発明の効果】
【００１３】
請求項１及び８に記載の発明によれば、後付装置を装置本体に容易に着脱することができる。
請求項２に記載の発明によれば、画像読取装置が支持された胴内に装置本体の側面から後付装置を装着することができる。
請求項３及び４に記載の発明によれば、後付装置を装置本体に容易に位置決めすることができる。
請求項５に記載の発明によれば、画像読取装置が支持された胴内に装置本体の側面から後付装置を容易に装着することができる。
請求項６及び７に記載の発明によれば、後付装置の誤装着を防止することができる。
【図面の簡単な説明】
【００１４】
【図１】第１実施形態に係る画像形成装置の外観全体を示す斜視図である。
【図２】第１実施形態に係る画像形成装置の内部構成を示す断面模式図である。
【図３】第１実施形態に係る画像形成装置の筐体の全体構成を示す斜視図である。
【図４】筐体に外装部材が取り付けられた状態を示す斜視図である。
【図５】用紙後処理装置が装着される画像形成装置の部分斜視図である。
【図６】用紙後処理装置のガイド部と画像形成装置の案内部を示す縦断面図である。
【図７】（ａ）は用紙後処理装置が装着される画像形成装置の平面図、（ｂ）、（ｃ）は装着部の係合孔を示す部分拡大図である。
【図８】（ａ）は用紙後処理装置の被装着面側に視点をおいた斜視図、（ｂ）は位置決めピンの部分拡大図である。
【図９】（ａ）、（ｂ）、（ｃ）は胴内排紙空間内に後付装置としての用紙後処理装置を装着する操作の流れを平面視で示す図である。
【図１０】（ａ）は用紙後処理装置が装着された画像形成装置を下方に視点をおいて示す斜視図、（ｂ）は用紙後処理装置の画像形成装置１との脱着部を示す縦断面図である。
【図１１】用紙後処理装置が装着された画像形成装置の全体を示す斜視図である。
【図１２】第２実施形態に係る画像形成装置におけるプランジャ装置が取り付けられた用紙後処理装置の被装着面側を示す斜視図である。
【図１３】プランジャ装置の分解斜視図である。
【図１４】（ａ）は装着方向前方のプランジャ装置のフックの斜視図、（ｂ）は装着方向後方のプランジャ装置のフックの斜視図である。
【図１５】（ａ）は用紙後処理装置が装着される第２実施形態に係る画像形成装置の平面図、（ｂ）、（ｃ）は装着部の係合孔を示す部分拡大図である。
【図１６】（ａ）、（ｂ）、（ｃ）、（ｄ）は用紙後処理装置を筐体に装着する際の第１係合孔に対するプランジャ装置の動作の流れを断面視で示す図である。
【図１７】用紙後処理装置が装着された状態での筐体と板バネとの接触を示す断面図である。
【図１８】メールボックスが装着された画像形成装置の全体を示す斜視図である。
【発明を実施するための形態】
【００１５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１６】
「第１実施形態」
（１）画像形成装置の全体構成及び動作
図１は本実施形態に係る画像形成装置１の外観全体を示す斜視図、図２は画像形成装置１の内部構成を示す断面模式図である。
以下、図面を参照しながら、画像形成装置１の全体構成及び動作を説明する。
【００１７】
（１．１）全体構成
画像形成装置１は、電子写真方式によって画像を形成する画像形成装置本体２と、原稿等の読み取りを行う画像読取装置３が読取装置支持部４によって画像形成装置本体２の上方に支持されて構成されている。画像形成装置本体２と画像読取装置３との間には排出ローラ対６３から排紙される用紙Ｐを積載する胴内排紙空間Ｓが形成されている。
【００１８】
画像形成装置本体２は、筐体１００（図３に図示）が形成する内部空間に、制御装置１０、給紙装置２０、感光体ユニット３０、現像装置４０、転写装置５０、定着装置６０が配置され、筐体１００（図３に図示）は分割された複数の外装部材５で覆われて構成されている。
【００１９】
（１．２）画像形成装置本体
制御装置１０は、画像形成装置１の動作を制御する画像形成装置制御部１１と、印刷処理要求に応じた画像データを準備するコントローラ部１２、電源装置１３等を有する。
【００２０】
画像形成装置本体２の底部には、多数の記録媒体としての用紙Ｐが積載された給紙装置２０が設けられ、規制板（不図示）で幅方向位置が決められた用紙Ｐは、上側から１枚ずつ用紙引き出し部２２により引き出された後、レジストローラ対２３のニップ部まで搬送される。
【００２１】
感光体ユニット３０は、給紙装置２０の上方（Ｚ方向）に、それぞれが並列して設けられ、回転駆動する像保持体としての感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２２】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２３】
転写装置５０においてトナー像が一括転写された用紙Ｐは、トナー像が未定着の状態で搬送ガイドを経由して定着装置６０に搬送され、一対の定着ローラ６１と加圧ローラ６２により、圧着と加熱の作用でトナー像が定着される。
定着トナー像が形成された用紙Ｐは、搬送ガイドによってガイドされ、排出ローラ対６３から胴内排紙空間Ｓの排紙トレイＴ上に排出されて積載される。
【００２４】
（２）筐体の構成
図３は画像形成装置１の筐体１００の全体構成を示す斜視図、図４は筐体１００に外装部材５が取り付けられた状態を示す斜視図、図５は用紙後処理装置２００が装着される画像形成装置１の部分斜視図、図６は用紙後処理装置２００のガイド部２１０と画像形成装置１の案内部１５０を示す縦断面図、図７（ａ）は用紙後処理装置２００が装着される画像形成装置１の平面図、（ｂ）、（ｃ）は装着部の係合孔を示す部分拡大図、図８（ａ）は用紙後処理装置２００の被装着面側に視点をおいた斜視図、（ｂ）は位置決めピン２２０の部分拡大図である。
以下、図面を参照しながら筐体１００の構成と後付装置の装着部の構成を説明する。
【００２５】
（２．１）筐体の全体構成
図３に示すように、画像形成装置１の筐体１００は、対面する第１側板１１０と第２側板１２０、第１側板１１０の左右から直立する第１支柱１１１、第２支柱１１２、第１支柱１１１と第２支柱を筐体底部で連結する第１底板１１３、第１支柱１１１と第２側板１２０を筐体底部で連結する第２底板１１４、第２支柱１１２と第２側板１２０を筐体底部で連結する第３底板１１５、第１支柱１１１と第２支柱１１２を筐体上部で連結する連結部材１１６を含んで構成され全体として枠構造をなしている。
【００２６】
筐体１００の上部には、３本の支持体１３１、１３２、１３３が立設され、それぞれの支持体１３１、１３２、１３３は連結部材１３５、１３６、１３７でそれぞれ連結されている。
３本の支持体１３１、１３２、１３３及び連結部材１３５、１３６、１３７は、画像読取装置３を筐体１００と離間した状態で支持する読取装置支持部４を構成している。
【００２７】
支持体１３１、１３２及び連結部材１３５で区画される面は第１側板１１０側に開口して開口部Ｓｂを形成し、後述する後付装置としての用紙後処理装置２００は、開口部Ｓｂを挿通して画像形成装置１に装着される。
【００２８】
読取装置支持部４の底部には、筐体１００の連結部材１１６上に枠体１３８が設けられ、第２側板１２０上に枠体１３９が設けられている。
枠体１３８及び枠体１３９は、後述する後付装置としての用紙後処理装置２００の装着面Ｓａの一部を構成し、それぞれ用紙後処理装置２００の係合部を受け入れる係合孔１４１、１４２、１４３、１４４が形成されている。
【００２９】
（２．２）胴内排紙空間
図４に示すように、画像形成装置１の筐体１００は、複数の外装部材５が取り付けられで、側部及び奥部を読取装置支持部４で、底部を画像形成装置本体２の排紙トレイＴで構成して、前部が開口した胴内排紙空間Ｓを区画している。
【００３０】
（２．３）後付装置の装着部
図５に示すように、胴内排紙空間Ｓ内には、排紙トレイＴを囲うように画像形成装置本体２の上面を覆う外装部材５が取り付けられ後付装置としての用紙後処理装置２００の装着面Ｓａを形成している。
装着面Ｓａには、画像形成装置１に用紙後処理装置２００が装着される場合に、用紙後処理装置２００の被装着面２００ａ上に突出して設けられた係合部が係合されて位置決めされる係合孔１４１、１４２、１４３、１４４と、用紙後処理装置２００の被装着面２００ａ上に突出して形成されたガイド部２１０が挿入されて案内される案内部１５０とが形成されている。
【００３１】
（２．３．１）案内部
図５に示すように、案内部１５０は、装着面Ｓａ上に筐体１００の第１側板１１０から第２側板１２０に向けて溝形状として形成されている。
案内部１５０は、図６に示すように、縦断面形状が壁部１５０ａ、底部１５０ｂ、斜面部１５０ｃで構成され、用紙後処理装置２００の被装着面２００ａ側に突出して形成されたガイド部２１０（図８（ａ）参照）を受け入れて、用紙後処理装置２００の画像形成装置１への装着を案内する。
【００３２】
（２．３．２）係合孔
図６及び図７に示すように、係合孔１４１、１４２、１４３、１４４は、それぞれ、大径の案内孔とこれに連続する係合孔からなるだるま孔として形成されている。
用紙後処理装置２００の被装着面２００ａには、図８（ａ）、（ｂ）に示すように、係合部としての位置決めピン２２０が突出して形成されている。位置決めピン２２０は、軸部２２１と、軸部２２１の先端に形成された軸部２２１よりも大径の頭部２２２とを有し、軸部２２１がだるま孔の大径の案内孔に案内されながら係合孔で位置決めされ、頭部２２２が係合穴で係合される。
【００３３】
図７（ｂ）に示すように、第１のだるま孔としての係合孔１４１は、頭部２２２の直径ｄよりも内径が大きい案内孔１４１ａと、案内孔１４１ａに連続するとともに頭部２２２の直径Ｄよりも幅が小さく、軸部２２１と嵌り合う長孔状の係合孔１４１ｂとで構成され、位置決めピン２２０の前後及び左右方向の移動を規制して位置決めする（図７（ｂ）中  矢印Ｒ１、Ｒ２参照）。
【００３４】
第２のだるま孔としての係合孔１４２は、頭部２２２の直径ｄよりも内径が大きい案内孔１４２ａと、案内孔１４２ａに連続するとともに頭部２２２の直径Ｄよりも幅が小さく、軸部２２１の直径ｄよりも幅が大きく、案内方向の長さが所定長さに規定された長孔状の係合孔１４２ｂとで構成され、位置決めピン２２０の案内方向への移動を規制している（図７（ｂ）中  矢印Ｒ２参照）。
【００３５】
図７（ｃ）に示すように、第３のだるま孔としての係合孔１４３は、頭部２２２の直径ｄよりも内径が大きい案内孔１４３ａと、案内孔１４３ａに連続するとともに頭部２２２の直径Ｄよりも幅が小さく、案内方向と交差する幅が所定幅に規定された長孔状の係合孔１４３ｂとで構成され、位置決めピン２２０の案内方向と交差する方向への移動を規制している（図７（ｃ）中  矢印Ｒ１参照）。
【００３６】
（３）後付装置の着脱
図９（ａ）、（ｂ）、（ｃ）は胴内排紙空間Ｓ内に後付装置としての用紙後処理装置２００を装着する操作の流れを平面視で示す図、図１０（ａ）は用紙後処理装置２００が装着された画像形成装置１を下方に視点をおいて示す斜視図、（ｂ）は用紙後処理装置２００の画像形成装置１との脱着部を示す縦断面図、図１１は用紙後処理装置２００が装着された画像形成装置１の全体を示す斜視図である。
以下、図面を参照しながら用紙後処理装置２００の画像形成装置１への着脱操作について説明する。
【００３７】
（３．１）後付装置の装着
画像形成装置１に後付装置としての用紙後処理装置２００を装着する場合には、胴内排紙空間Ｓの装着面Ｓａに用紙後処理装置２００を載置して案内部１５０で案内しながら胴内排紙空間Ｓの開口部Ｓｂから胴内排紙空間Ｓ内へ挿入する。
【００３８】
そして、図９（ｂ）に示すように、開口部Ｓｂから胴内排紙空間Ｓ内へ挿入される用紙後処理装置２００は、ガイド部２１０が装着面Ｓａに形成された案内部１５０の溝内に案内されて、装着面Ｓａ上に形成された係合孔１４１、１４２、１４３、１４４に被装着面２００ａに突出して形成された位置決めピン２２０が係合する。
【００３９】
位置決めピン２２０は係合孔１４１で前後及び左右方向の移動が規制されるともに、係合孔１４２及び係合孔１４３でそれぞれ案内方向及び案内方向と交差する方向への移動を規制されて装着面Ｓａ上に位置決めされる。
その結果、本実施形態に係る画像形成装置１においては、図１１（ａ）に示すように、画像形成装置本体２の上方に画像読取装置３が支持された状態で、後付装置として用紙後処理装置２００を容易に装着することができる。
【００４０】
（３．２）後付装置の脱着
図１０（ａ）、（ｂ）に示すように、用紙後処理装置２００には操作レバー２３０が支持部２３０ａを回転中心として回転可能に設けられている。
画像形成装置１の装着面Ｓａを形成する外装部材５には係合壁５ａが形成され、用紙後処理装置２００が装着された状態では、操作レバー２３０の係合凸部２３０ｂが係合壁５ａに係合している。
用紙後処理装置２００を画像形成装置１の装着面Ｓａから脱着する場合には、操作レバー２３０を上方に持ち上げるように回転させて（図１０（ｂ）中  矢印Ｒ参照）、係合凸部２３０ｂと外装部材５の係合壁５ａとの係合を解除することで脱着することができる。
【００４１】
「第２実施形態」
図１２は本実施形態に係る画像形成装置１Ａにおいて係合部としてプランジャ装置３１０が取り付けられた用紙後処理装置３００の被装着面側を示す斜視図、図１３はプランジャ装置の分解斜視図、図１４（ａ）は装着方向前方のプランジャ装置３１０Ａのフック３１２Ａの斜視図、（ｂ）は装着方向後方のプランジャ装置３１０Ｂのフック３１２Ｂの斜視図、図１５（ａ）は用紙後処理装置３００が装着される画像形成装置１Ａの平面図、（ｂ）、（ｃ）は装着部の係合孔を示す部分拡大図である。
以下、図面を参照しながら筐体１００Ａの構成と用紙後処理装置３００の装着部の構成を説明する。
【００４２】
（１）後付装置と筐体の構成
図１２に示すように、後付装置としての用紙後処理装置３００の被装着面３００ａ側には、係合部としてのプランジャ装置３１０が設けられている。プランジャ装置３１０は、被装着面３００ａに対して進退可能に付勢されたフック３１２を有し、用紙後処理装置３００を画像形成装置１Ａの筐体１００Ａに形成された第１係合孔１６１に係合される。
【００４３】
（１．１）プランジャ装置
図１３に示すように、係合部としてのプランジャ装置３１０は、ケース３１１と、ケース３１１に進退可能に保持されるフック３１２と、フック３１２をケース３１１外に突出する方向に付勢する付勢部材としてのスプリング３１３と、フック３１２と進退してフック３１２が第１係合孔１６１に係合した際に筐体１００Ａの装着面１００Ａａに接触する板バネ３１４と、蓋体３１５から構成されている。
【００４４】
フック３１２は、鉤形状の係合爪３１２ａと、係合爪３１２ａを挟むようにフック３１２の進退方向に突出するように形成された案内部３１２ｂからなる。
案内部３１２ｂは、先端部３１２ｂａがフック３１２の進退方向に向かって先細り形状に形成されている。
【００４５】
板バネ３１４は、金属の板部材であり、フック３１２にスプリング３１３を介して固定され、フック３１２が筐体１００Ａに形成された第１係合孔１６１に係合した際に筐体１００Ａに接触して、用紙後処理装置３００を画像形成装置１Ａと接地導通させている。
【００４６】
このように構成されるプランジャ装置３１０は、図１２に示すように、用紙後処理装置３００の筐体１００Ａへの装着方向前方と後方のそれぞれに２箇所ずつ配置されている。
装着方向前方に配置されたプランジャ装置３１０Ａと装着方向後方に配置されたプランジャ装置３１０Ｂは、それぞれの案内部３１２Ａｂ、３１２Ｂｂが異なる形状に形成されている。
具体的には、図１４（ａ）、（ｂ）に示すように、装着方向前方の案内部３１２Ａｂは、装着方向後方の案内部３１２Ｂｂに比して、その幅が狭く形成されている（図１４中  ｗ１、ｗ２参照）。
【００４７】
（１．２）係合孔
図１５に示すように、画像形成装置１Ａの筐体１００Ａを構成する枠体１３８、１３９には、係合孔としての第１係合孔１６１と、第２係合孔１６２Ａ、１６２Ｂが、用紙後処理装置３００の筐体１００Ａへの装着方向前方と後方のそれぞれに２箇所ずつ形成されている。
第１係合孔１６１は、図１６（ａ）に示すように、プランジャ装置３１０の突出するフック３１２の係合爪３１２ａを受け入れて案内する折り曲げ部１６１ａと、フック３１２の係合爪３１２ａと係り合う係合部１６１ｂを有している。
第２係合孔１６２Ａ、１６２Ｂは、第１係合孔１６１を挟むように矩形状に２箇所形成され、フック３１２の進退方向に突出するように形成された案内部３１２Ａｂ、３１２Ｂｂを受け入れる。
【００４８】
図１５（ｂ）、（ｃ）に示すように、第２係合孔１６２は、用紙後処理装置３００の筐体１００Ａへの装着方向前方（図１５（ｃ）参照）と後方（図１５（ｂ）参照）で、互いに形状が異なって形成されている。
具体的には、装着方向前方の第２係合孔１６２Ａは、装着方向後方の第２係合孔１６２Ｂに比してその幅が狭く、装着方向前方の案内部３１２Ａｂと互いに相補形状となるように形成されている（図１５中  Ｗ１、Ｗ２参照）。
その結果、装着方向後方のプランジャ装置３１０Ｂの案内部３１２Ｂｂが、装着方向前方では必ず退避して、係合しない形状となっている。そのために、用紙後処理装置３００の誤装着を防止することができる。
【００４９】
図１５（ａ）に示すように、装着方向前方に配置された第１係合孔１６１と、装着方向後方に配置された第１係合孔１６１とは装着方向と交差（直交）する方向における位置が異なるように形成されている。そのために、用紙後処理装置３００の誤装着を防止することができる。
【００５０】
（２）後付装置の装着
図１６（ａ）、（ｂ）、（ｃ）、（ｄ）は用紙後処理装置３００を筐体１００Ａに装着する際の第１係合孔１６１に対するプランジャ装置３１０の動作の流れを断面視で示す図、図１７は用紙後処理装置３００が装着された状態での筐体１００Ａと板バネ３１４との接触を示す断面図、図１７はメールボックス４００が装着された画像形成装置１、１Ａの全体を示す斜視図である。
以下、図面を参照しながら筐体１００Ａに構成と用紙後処理装置３００を装着する際のプランジャ装置３１０の動作について説明する。
【００５１】
図１６（ａ）に示すように、用紙後処理装置３００を画像形成装置１Ａの胴内排紙空間Ｓの開口部Ｓｂから装着するように略水平に移動させる（図１６（ａ）中  矢印Ｒ１参照）と、プランジャ装置３１０Ａのフック３１２Ａの案内部３１２Ａｂが外装部材５に接触する（図１６（ａ）中  Ａ参照）。
【００５２】
更に用紙後処理装置３００を略水平に移動させると、図１６（ｂ）に示すように、フック３１２Ａの案内部３１２Ａｂの先端部３１２Ａｂａが先細り形状に形成されているために、フック３１２Ａはスプリング３１３の付勢力に抗して外装部材５を乗り越える位置に退避する（図１６（ｂ）中  矢印Ｒ２参照）。
そのために、用紙後処理装置３００を持ち上げることなく容易に装着することができる。
【００５３】
そして、更に用紙後処理装置３００を略水平に移動させる（図１６（ｃ）中  矢印Ｒ１参照）と、図１６（ｃ）に示すように、スプリング３１３でケース３１１外に突出する方向に付勢されたフック３１２Ａが第１係合孔１６１の折り曲げ部１６１ａに案内されながら（図１６（ｃ）中  矢印Ｒ３参照）第１係合孔１６１に入り込み、フック３１２Ａの係合爪３１２Ａａが第１係合孔１６１の係合部１６１ｂに係合する（図１６（ｄ）参照）。
その結果、用紙後処理装置３００の誤装着を防止しつつ、容易に装着することができる。
【００５４】
フック３１２Ａの係合爪３１２ａが第１係合孔１６１の係合部１６１ｂに係合した状態では、図１７に示すように、板バネ３１４が第１係合孔１６１の係合部１６１ｂに接触して、用紙後処理装置３００は画像形成装置１Ａと接地導通する。
その結果、用紙後処理装置３００の正常な動作を妨害するノイズを画像形成装置１Ａの筐体１００Ａを介して放出することができる。
【００５５】
以上、後付装置の一例として用紙後処理装置２００、３００の着脱について説明したが、後付装置としては、用紙後処理装置２００、３００と同様に被装着面に突出して形成された係合部を有する後付装置であれば、図１８に示すように複数の排紙トレイを備えたメールボックス４００であっても良い。
【符号の説明】
【００５６】
１、１Ａ・・・画像形成装置
２・・・画像形成装置本体
１０・・・制御装置
２０・・・給紙装置
３０・・・感光体ユニット
４０・・・現像ユニット
５０・・・転写ユニット
６０・・・定着装置
３・・・画像読取装置
４・・・画像読取装置支持部
５・・・外装部材
１００・・・筐体
１３１、１３２、１３３・・・支持体
１２０、１２０Ａ・・・遮蔽部材
１４１、１４２、１４３、１４４・・・係合穴
１５０・・・案内部
１６１・・・第１係合孔
１６２・・・第２係合孔
２００、３００・・・用紙後処理装置
２１０・・・ガイド部
２２０・・・位置決めピン
２３０・・・操作レバー
３１０（３１０Ａ、３１０Ｂ）・・・プランジャ装置
３１１・・・ケース
３１２（３１２Ａ、３１２Ｂ）・・・フック
３１２ａ・・・係合爪
３１２ｂ（３１２Ａｂ、３１２Ｂｂ）・・・案内部
３１３・・・スプリング
３１４・・・板バネ
４００・・・メールボックス
Ｓ・・・胴内排紙空間
Ｔ・・・排紙トレイ
【図１】
2017027031.tif 000003
【図２】
2017027031.tif 000004
【図３】
2017027031.tif 000005
【図４】
2017027031.tif 000006
【図５】
2017027031.tif 000007
【図６】
2017027031.tif 000008
【図７】
2017027031.tif 000009
【図８】
2017027031.tif 000010
【図９】
2017027031.tif 000011
【図１０】
2017027031.tif 000012
【図１１】
2017027031.tif 000013
【図１２】
2017027031.tif 000014
【図１３】
2017027031.tif 000015
【図１４】
2017027031.tif 000016
【図１５】
2017027031.tif 000017
【図１６】
2017027031.tif 000018
【図１７】
2017027031.tif 000019
【図１８】
2017027031.tif 000020